(57)【要約】【課題】平時は通常のテーブル類で、屋内設置に違和感も空間の無駄もなく、地震発生時に内下部へもぐり込めば、十分な強度で身の安全を守れ、横揺れで人が飛び出したり、落下物の飛び込みも防げる、耐震シェルター兼用テーブル類の提供。【解決手段】天板１裏面に補強用金属板３を張付し、下面の周部寄りに金属製の補強用枠体４を矩形状に固着し、該補強用枠体の各対辺間に金属製の補強用上部横杆５，６を固着し、脚部２は天板内下方に人がもぐり込める縦寸法とし、上部を補強用枠体と共に天板に固着し、両側で前・後の脚部間に補強用下部横杆７を横設して、金属製の防御用側板８を張設し、前・後部で左・右の脚部間に、ガイドレール９に沿って昇降可能で、下ろした状態で係止可能な防炎布製の巻上げ式シャッター１０を設け、天板内下部の側部寄りに、避難・退避した人が掴める補強兼掴持部材１１を固着する。【選択図】  図３
0003122584.tif 000002
【実用新案登録請求の範囲】
【請求項１】
天板１下部の少なくとも四隅近傍に脚部２を有するもので、
上記天板１は、裏面に補強用金属板３を張付して、その下面の周部寄りに金属製の補強用枠体４をほぼ矩形状に設けると共に、該補強用枠体４の各対辺間に金属製の補強用上部横杆５，６を設け、
上記脚部２は、金属製で、天板１内下方に人がもぐり込める高さを確保できる縦寸法にして、脚部２の内、両側部で前・後の脚部２ａ，２ｂ間に、下部寄りに補強用下部横杆７を各々横設すると共に、金属製の防御用側板８を各々張設し、
前・後部で左・右の各脚部２ａ，２ａ、２ｂ，２ｂ間には、縦向きにガイドレール９を各々設け、シャッター横杆１４の両側端がそれに係合して昇降可能で、引き下ろした状態で係止可能な防炎布製の巻上げ式のシャッター１０を各々設け、
天板１内下部の両側部寄りで、天板１側の補強用上部横杆５，６のいずれかと、前後の脚部２ａ，２ｂ間に設けた横または縦方向の補強用杆１８との間に、上方から大きな圧力が加わっても脚部２ａ，２ａ、２ｂ，２ｂの横倒れを防止し、かつ天板１の内下方に避難・退避した人がその位置を保持するために掴むことを兼ねた、補強兼用の掴持部材１１を設けたことを特徴とする、シェルター兼用のテーブル類。
【請求項２】
前・後部で左・右の各脚部２ａ，２ａ、２ｂ，２ｂ間で対向する各側面に縦凹溝を形成して、そこに横断面Ｌ形またはコ字形の金属製条材のガイドレール９を設けると共に、各シャッター１０下端縁に横設したシャッター横杆１４の両側端に、横断面Ｌ形またはコ字形の抜止め部材１５を設けて、該抜止め部材１５を上記ガイドレール９に係合した状態でシャッター１０が昇降可能で、かつ上記シャッター横杆１４の両側端がガイドレール９から抜け出さぬようにした、請求項１に記載のシェルター兼用のテーブル類。  
【請求項３】
天板１内下部の両側部寄りに、少なくとも一対の補強兼用の掴持部材１１を設けた、請求項１または２に記載のシェルター兼用のテーブル類。
【請求項４】
天板１下部の少なくとも四隅近傍で、各脚部２の上部寄りと補強用枠体４とを固着すると共に、各脚部２の上部寄り側面と補強用枠体４の側部寄り下面との間に、金属厚板製の補強用部材１６を設けて、天板１に大きな圧力が加わった際にも脚部２ａ，２ａ、２ｂ，２ｂの横倒れ防止を補助するようにした、請求項１，２または３に記載のシェルター兼用のテーブル類。
【考案の詳細な説明】
【技術分野】
【０００１】
本考案は、地震発生時に避難・退避するシェルターを兼ねたテーブル類に関するものである（本明細書で「テーブル類」とは、テーブル・机・デスク・作業台その他、四本以上の脚部を有し上部に天板を有するものを含む広い意味で用いる）。
【背景技術】
【０００２】
近時、日本各地で地震が多発しているし、大地震がいつ発生してもおかしくないとも言われている。地震発生時の被害、特に最も重要な人の身体・生命を守り人的被害を最小限にとどめるためには、各人が冷静に状況を判断し、行動することが大切であって、日頃から災害時の心構えを身につけておくことが必要である。
【０００３】
このような状況下で、各地方公共団体その他の公的機関等により、新聞・雑誌・インターネットその他等を通じて、「地震に備える−あなたを守る８つの行動」とか、「地震発生そのときどうする」とか、「地震から身を守る心構え」とかのタイトルの下に、各人に対する注意事項が公表されている。
【０００４】
それらにれよれば、家庭・学校・会社等で屋内にいる場合に地震が起きた際には、天井・食器棚・書籍棚・キャビネットその他の落下物・転倒物等から身を守るために、まずは丈夫なテーブルや机等の下へ身を隠し、１分間程度は自分の身の安全を図るように、と奨励されており、特に幼稚園や学校等では子供たちに机の下へもぐり込んで退避・避難する訓練も行われている。
【０００５】
ところが、一般に従来のテーブル・机・デスク等では、例えば地震により家屋が倒壊した場合や大型の家具その他が転倒した場合等には、その際の上方からの圧力・衝撃力・外力でテーブル等が簡単に粉砕したり破損してしまうおそれがある。特に家屋倒壊時に上方から大きなガレキ等が落下すると、テーブル等は脚部が偏平状その他の横倒れ状態になって、その内下方に避難・退避していた人が圧死してしまうおそれがある。
【０００６】
また地震の横揺れが激しい場合には、例えば老人・子供等の握力が強くない者がテーブル等の内下部へ避難・退避して脚部を掴んでいても、脚部が本来そのようなことを考慮して設計されていないので、側方へ放り出されてしまうことになる。そのため、地震時にテーブル類の内下部へもぐり込むことは、必ずしも安全・安心な避難・退避手段とは言えない現状にある。
【０００７】
他面、例えば専用の耐震シェルターを家屋内に設置しておくことも考えられるが、経済的に容易でないことは勿論のこと、平時にはそのシェルターが占める空間を自由に使えなくなるので、使用可能な屋内空間が狭くなってしまう。特に、必ずしも広くない一般の居住家屋で設置するのは、殆ど不可能と言える。また専用の耐震シェルターでなくても、強度面だけを考慮したテーブル・机・デスク等も考えられるが、平時に使用するものとして屋内に設置しておくには不似合いで、違和感があって相応しくない。
【０００８】
それでも従来、例えば次のようなものが発明・考案されている。
イ）机・テーブル等の天板であって、中空構造の天板の内部に根太と補強部材を組み込んで天板の強度を増し、落下物に対して十分に耐えうる構造の天板としたもの。
【特許文献１】登録実用新案第３０２６２８５号公報
【０００９】
ロ）地震用家具であって、天板の下方に位置して地震の際に避難者がつかまることができ、及び又は天板の強度を増大できるつかまり棒を設けたもの。
【特許文献２】特開平１０−５３６１号公報
【００１０】
ハ）地震・火事・強盗等の避難緊急用机であって、着脱自在の天板と、一面だけ開口された耐熱・耐火性および耐水性を有する耐衝撃性壁面で構成される机サイズの堅牢な箱体と、開口面の縁に沿って周設されたパッキングと、箱体に摺動可能に取り付けられた開口面の寸法と同サイズの底浅の引き出し兼用開口蓋とから構成されると共に、引き出し兼用蓋が完全に箱体から引き出されると、箱体と引き出し兼用開口蓋との間に設けられたヒンジ機構によって９０度回転して開口面をパッキングと共に密閉ロックされるようにしたもの。
【特許文献３】特開平７−２５０７１３号公報
【考案の開示】
【考案が解決しようとする課題】
【００１１】
ところが、上記イ）のものは、天板をいくら頑丈に造っても、脚部を含む全体が堅牢でないと、地震により家屋が倒壊した場合や大型の家具その他の転倒や落下物があった場合等には、その際の衝撃力・外力で脚部が押しつぶされたり横倒れして、内下方に避難・退避していた人が圧死する可能性がある。
【００１２】
また、上記ロ）のものは、上方から圧力や落下物による衝撃力・外力に対しては耐えられて、内下方の避難・退避者が保護されるとしても、側方には何の防御手段もないから、例えば落下物や転倒物が側方から飛び込んでくることが考えれ、避難・退避者が被害を受ける可能性がある。
【００１３】
しかも、そこでのつかまり棒は、天板を下方から支持する役目も担っているため、十分な強度上から太いものになってしまい、例えば老人や子供のように力の弱い者には、手でしっかり掴まっていることができず、地震の大きな横揺れに際してはやはり外へ放り出されてしまうことが考えられる。
【００１４】
さらに、上記ハ）のものは、火事・強盗・水害等にも対応するため堅牢な箱形状になっており、対応できる範囲が広い。しかし、箱形状の一面だけしか開口されていないから、地震が発生した非常時に、大きな揺れの中を開口した側まで移動して中へもぐり込む行動は容易ではない。
【００１５】
また、開口面の縁に沿ってパッキングが周設されているため、平時の使用時に椅子の脚が内下方へ入り難く、椅子が外へ出たままになるから、椅子に座って何かをする机としては使い勝手が悪いし、平時にこの机が占めるスペースの他に椅子のスペースも必要になって、屋内が狭くなる。
【００１６】
仮に、平時に引き出し兼用開口蓋を引き出した状態で机として使用するとすれば、天板のスペース以外に開口蓋のスペースが必要となるから、やはり平時には余分な空間が必要となり、非常時には有用であるとしても、特に日本家屋のように屋内空間が狭いところでは、設置しておくのは躊躇してしまう。
【００１７】
本考案は、人が屋内にいる場合に地震が発生した際に備える避難・退避空間のために、従来一般のテーブル類を利用することに伴う問題点や、専用の耐震シェルターやそれに類する物を設置することに伴う問題点の解決を課題として考案したものである。
【００１８】
即ち、本考案の目的は、屋内に設置しても外観上で違和感が無く、平時には通常のテーブル・机・デスク等として利用できるので、その設置空間が無駄にならず、また地震発生時に内下部にもぐり込めば、十分な強度で身の安全を守れると共に、横揺れが激しくても人が側方へ飛び出したり、落下物が外部から飛び込むことも防げるような、耐震シェルターを兼ねたテーブル類を提供することにある。
【課題を解決するための手段】
【００１９】
本考案に係る耐震シェルター兼用のテーブル類Ａは、
天板１下部の少なくとも四隅近傍に脚部２を有するもので、
上記天板１は、裏面に補強用金属板３を張付して、その下面の周部寄りに金属製の補強用枠体４をほぼ矩形状に設けると共に、該補強用枠体４の各対辺間に金属製の補強用上部横杆５，６を設け、
上記脚部２は、金属製で、天板１内下方に人がもぐり込める高さを確保できる縦寸法にして、脚部２の内、両側部で前・後の脚部２ａ，２ｂ間に、下部寄りに補強用下部横杆７を各々横設すると共に、金属製の防御用側板８を各々張設し、
前・後部で左・右の各脚部２ａ，２ａ、２ｂ，２ｂ間に、縦向きにガイドレール９を各々設け、シャッター横杆１４の両側端がそれに係合して昇降可能で、引き下ろした状態で係止可能な防炎布製の巻上げ式のシャッター１０を各々設け、
天板１内下部の両側部寄りで、天板１側の補強用上部横杆５，６のいずれかと、前後の脚部２ａ，２ｂ間に設けた横または縦方向の補強用杆１８との間に、上方から大きな圧力が加わっても脚部２ａ，２ａ、２ｂ，２ｂの横倒れを防止し、かつ天板１の内下方に避難・退避した人がその位置を保持するために掴むことを兼ねた、補強兼用の掴持部材１１を設けたものである。
なお、本明細書で矩形状とは、長方形の他に正方形も含む直角四辺形状の意味で用いている。
【考案の効果】
【００２０】
上記構成に係る耐震シェルター兼用テーブル類Ａは、次のような効果を奏する。
イ）平時は、屋内に設置して通常の通常のテーブル類として使用することができる。
即ち、このテーブル類Ａは、上部の天板１下部の少なくとも四隅近傍に脚部２を有する構造で、平時は一般的なテーブル類と変わらず通常の使用ができると共に、屋内に設置してあっても何の違和感もない外観・構造である。そして、人が屋内にいる際に地震が発生した非常時には直ちに、身近かに設置してあるこの耐震シェルター兼用テーブル類Ａの内下方へもぐり込んで、避難・退避することができる空間となる。
【００２１】
ロ）地震発生時に、この耐震シェルター兼用テーブル類Ａの内下部へもぐり込めば、十分に身の安全を確保することができる。
即ち、このテーブル類Ａは上部の天板１の裏面に補強用金属板３を張付し、その下面に金属杆製で矩形状の補強用枠体４を設けると共に、該補強用枠体４の各対辺間に金属製の補強用上部横杆５，６を設け、また両側の前・後脚部２間に金属製の補強用下部横杆７と金属製の防御用側板８とを各々固着し、かつ天板１側の補強用上部横杆５，６のいずれかと、前後の脚部２ａ，２ｂ間に設けた横または縦方向の補強用杆１８との間に、補強兼用の掴持部材１１を設けてある。
【００２２】
そのため、このテーブル類Ａは頑丈で十分な強度を有する構造になっており、地震で例えば大型の家具類が転倒した場合は勿論のこと、家屋の倒壊で大きなガレキが落下してきたような場合でも、上記補強用金属板３によって天板１がバラバラに破損しまうことがないし、また補強用枠体４、補強用上・下  横杆５，６、補強兼用の掴持部材１１により、テーブル類Ａは頑丈にできており、脚部２が横倒れして押しつぶされてしまうようなことが無くなる。
【００２３】
これにより、内下方へもぐり込んでいた人が怪我をしたり、圧死してしまう等の人命・身体に被害が及ぶことを防止でき、家屋内に設置する簡便な耐震用シェルターとして有効なものである。
【００２４】
ハ）この耐震シェルター兼用テーブル類Ａは、上部に補強用金属板付きの天板１、その内下部の両側部に金属製の防御用側板８、前・後部にシャッター９を設けてあり、テーブル類Ａの内下部へもぐり込んだ人は、これらによって囲まれた空間に避難・退避することなる。そのため、上方や前・後・左・右方向からの落下物の飛び込みを防止できるし、炎等からも身を守ることもでき、かつ地震の横揺れが大きい場合に外部へ放り出されることも、防御用側板８やシャッター１０によって防止できている（例えば図３参照）。
【００２５】
ニ）さらに、この耐震シェルター兼用テーブル類Ａは、天板１の内下方の両側寄りに、補強を兼ねた掴持部材１１を少なくとも一対設けてある。そのため、天板１下方へもぐり込んだ人は地震が納まるまでの間、該掴持部材１１を掴んでいることができる。この掴持部材１１は、掴むことを予定したものであるから、例えば老人・子供等の握力が強くない者でもしっかりと掴持することができ、この点からも外側方へ放り出されずにテーブル類Ａの内下方で身体の位置を保持して、身の安全を確保することができる（例えば上記図３参照）。
【００２６】
ホ）このテーブル類Ａに設けた前・後部の防炎布製のシャッター１０は平時には巻き上げておけばよいので、天板１下方の前・後は常に開口されている。そのため、このテーブル類Ａでは椅子や脚を前からでも後方からでも内下方へ入れて座ることができ、通常のテーブル類Ａとして何の支障もなく使用することができるし、平時は椅子を内下方へ収納しておけるから、日本家屋のような比較的狭い屋内空間に設置しておいても、全く邪魔になることがない。
【００２７】
そして地震が発生した非常時に人は直ちに、前・後いずれの開口部からも容易・迅速にこのテーブル類Ａの内下方へもぐり込むことができるし、またシャッター９を容易・迅速に引き下ろして閉じることができる（例えば図３・図４参照）。この際、各シャッター横杆１４の両端の抜止め部材１８がガイドレール９に係合・係止されてもいるので、シャッター９はスムーズに昇降すると共に外れることがなくなっている。そのため、屋内に設置して地震発生時に退避・避難できる屋内耐震シェルターとして十分にその役割を果たすことができる。
【００２８】
へ）しかも、上記シャッター１０は布製としてあるから、地震の揺れが納まった後は、例えばそれを切り裂いてでも外側方へ脱出することが可能である。そのため、避難・退避場所から脱出できずに逃げ後れたり、火災に巻き込まれるような事態も、このテーブル類Ａでは避けることができる。
【考案を実施するための最良の形態】
【００２９】
上記構成で、天板１の大きさ・形状は、この耐震シェルター兼用テーブル類Ａの平時の使用目的が一般家庭用・学校用・事業所用のいずれなのか、また地震発生時の避難・退避者数等によって適切なものとすればよい。該天板１を含む各部の表面は、平時の使用状態に応じた色・装飾等を耐熱樹脂塗料等により表面加工をして、屋内で使用する家具・調度品類としても違和感の無いものにしておくことが望ましい。
【００３０】
脚部２は、このテーブル類Ａが例えば２人用としてならば、天板１の四隅から下方へ設たものでよいが、２人以上用で横長状のテーブル類Ａならば、長手方向の中間位置等にも脚部２を設けておけばよい。脚部２の縦寸法は人がもぐり込めるように、天板１の下面までの高さが通常は約７０ｃｍ程度は確保できるようにしておくのがよいが、このテーブル類Ａの平時の用途によっても若干の相違があるのは当然である。
【００３１】
また該脚部２、補強用枠体４、補強用上部横杆５，６、補強用下部横杆７、補強用杆１８等の金属材は、強度を考慮して例えばスチール製の中空金属製にすることが望ましい。防御用側板８や、さらには補強用三角板１６も、強度を考慮してスチール製とするのがよい。
【００３２】
また前・後部のシャッター１０，１０の本体部分は破れ難い強度と共に防炎性を有する材質を用いるものとし、かつ作動部は公知の巻上げ式スクリーン（ロールスクリーン）と類似の構造であって、上部にコイルバネを利用した巻き上げ機構と、下方へ引き下ろした状態で係止可能なストッパー機構を備えたものにしておくのがよい。
【００３３】
上記補強兼用の掴持部材１１は、このテーブル類Ａの大きさ・長さに等によっても本数が異なるし、内下部へもぐり込む人の数に応じたものにしておけばよいが、テーブル類Ａの内下部で各側で１本ずつ設けてもよいし（例えば図１・図４参照）、２本ずつ設けてもよい（例えば図８参照）。また幼稚園・学校・事業所等の多数人が集まる場所では、このテーブル類Ａを複数台並べて用いればよい（例えば図９参照）。
【実施例１】
【００３４】
図１ないし図７は、本考案に係る耐震シェルター兼用テーブル類Ａの実施例を示すが、ここでは一般家庭用のもので、２人が避難・退避可能な構成にしたものである。
【００３５】
このテーブル類Ａは、平時はテーブルとして用いるものとしてある。外観は通常のテーブルと同様に、天板１の下部の少なくとも四隅近傍に脚部２を有するものである。その天板１は、ここでは厚み約３ｃｍの木板製で、横幅約１６０ｃｍ、前後幅約１００ｃｍの大きさの横長形状にしてあり、周縁部の角を無くした形状としてある。またここでは表面に耐熱樹脂塗料による表面加工を施してある。
【００３６】
該天板２の裏面には、補強用金属板３を張付してある。これは、地震発生時に屋内の家具類等の転倒、その他の落下物、家屋倒壊等により、天板１に上方から過大な圧力が加わった際にも、バラバラに割れたりするような損壊を生じなくするためである。ここでは、厚さが約１．５ｍｍのアルミニウム製板を張り付けてある。
【００３７】
その補強用金属板３の裏面の周辺寄りには、図４で示したように補強用枠体４を設けてある。該補強用枠体４は、ここでは厚み約２．３ｍｍ、縦断面の横約５ｃｍ×縦約１０ｃｍの中空状のスチール製材を用いて、四隅を後記脚部２で連結してほぼ長方形状の枠形にして、上記補強用金属板３の裏面の周辺寄りに固定するものである。該補強用枠体４の固定は、ここでは複数本のＬ形金具１２とボルトにより、補強用金属板３を介して天板１の下部へ固着するようにしてある（同図４・図６参照）。
【００３８】
５，６は補強用上部横杆を示し、補強用金属板３の下面で上記補強用枠杆４の対辺間を連結するようにここでは十字状に固着してある（図４参照）。その内の長手方向の横杆５は、厚み約２．３ｍｍ、縦断面が横幅１０ｃｍ、高さ約５ｃｍの中空状のスチール製材である。短手方向の横杆６は、同じ厚みで、縦断面が横幅５ｃｍ、高さ約１０ｃｍの中空状のスチール製材である。それらはいずれも、Ｌ形金具１２とボルトとにより、天板１・補強用金属板３の下面に固着し、かつ各側端部を補強用枠体４の側面にボルトで固着してある。
【００３９】
脚部２は、ここでは厚み約２．３ｍｍのスチール製で、横断面を長寸が約１１ｃｍ、短寸が約９ｃｍの五角形状の中空枠形とし（図４・図５参照）、またその長さ（高さ）を約７０ｃｍとして、ここでは補強用金属板３が裏打ちされた天板１下部の四隅近傍から垂設してある。該脚部２の天板１・補強金属板３への固着は、ここでは各脚部２ａ，２ａ、２ｂ，２ｂの上部寄り側部を、上記の補強用枠体４の長手方向の両側部にボルトとナットで固定することで、該補強用枠体４を介して天板１・補強用金属板３の下部へ固着してある（図４・図７参照）。
【００４０】
上記脚部２の内、前部で左・右両側の脚部２ａ，２ａと、後部で左・右両側の脚部２ｂ，２ｂの各内側に、ここでは縦凹溝を形成して、そこにスチール製で横断面コ字の条材であるシャッター用ガイドレール９，９を各々嵌め入れ固着してある（図１・図５参照）。      
【００４１】
１０，１０は巻上げ式のシャッターを示し、前部で左・右両側の脚部２ａ，２ａ間と、後部で左・右両側の脚部２ｂ，２ｂ間とに各々設けてある（図１・図４参照）。該シャッター１０，１０は、ここでは厚地のポリエステル樹脂製布に防炎加工処理を施したものであり、各下縁部に横設したシャッター横杆１４，１４の両側端で上記両側のガイドレール９，９に沿って昇降可能に設けてある。
【００４２】
即ち、該各シャッター１０，１０の下端縁に、ここではパイプ状のシャッター横杆１４，１４を装着してあり、その各側端に横断面コ字形のステンレス製抜止め部材１５，１５を固着し、上記横断面コ字状のガイドレール９，９に係合させて（図５参照）、シャッター１０，１０がスムーズに昇降可能で、かつシャッター１０，１０に外力が加わっても各シャッター横杆１４，１４がガイドレール９，９から外れないようにしてある。
【００４３】
また該シャッター１０，１０の作動部の構造は、公知の巻上げ式スクリーン（ロールスクリーン）と同じであるため詳細は省略するが、コイルバネを横軸に套合した巻き上げ機構（図示略）と、下方へ引き下げた状態で係止可能なストッパー機構（図示略）とを、上記補強用枠体４の前・後部の各ケース部１３，１３に内装してある（図６参照）。
【００４４】
また上記脚部２の内、両側部で前・後の脚部２ａ，２ｂ、２ａ，２ｂ間には、その下部寄りに、各補強用下部横杆７，７を横設してあるが（図１・図３等参照）、ここでは厚みが約２．３ｍｍで、縦断面の横約５ｃｍ×縦約１０ｃｍの中空状のスチール製材を用いている。そして該補強用下部横杆７，７と上部の補強用枠体４との間に、ここでは厚さ約１．６ｍｍのスチール板製の防御用側板８，８を、二重構造として各々張設してある（図１・図３参照）。
【００４５】
１１，１１は補強兼用の掴持部材を示し、天板１の内下方へもぐり込んで退避・避難した人が掴んで、地震の横揺れで外側方へ放り出されぬように自身の位置を保持するためのものであり、ここでは天板１内下部の各側部寄りに１本ずつ設けてある（図３参照）。即ち、ここでは外径約２７．２ｍｍのステンレス製パイプを、垂直部が約２２ｃｍ、水平部が約３５ｃｍのＬ字型に曲げたものを用いており、その上端部をフランジ部を介して長手方向の補強用上部横杆５ａの両側寄り位置に固着し、また側端部を上記二重構造の防御用側板７，７間に内装した補強用杆１８，１８に各々ボルトで固着してある（図３・図７参照）。
【００４６】
また該掴持部材１１，１１は、天板１の内下方へもぐり込んで退避・避難した人が掴んでいるだけでなく、天板１側と脚部２側との固着力を補強して、天板１に上部からの過大な圧力が加わっても脚部２が横倒れしないようにする補強を兼ねたものである。
【００４７】
１６，１６は補強用三角板を示し、ここでは各脚部２ａ，２ａ，２ｂ，２ｂの上部寄り側面と補強用枠体４下面との間に、各々ボルトで固着してあり（図３・図４・図６・図７参照）、天板１側と脚部２側との固着力をさらに補充するために設けてある。ここでは、厚みが約５ｍｍで直角を挟む二辺が約２０ｃｍの大きさの二等辺三角形状をしたスチール板を用いており、その外側を覆う如く、厚み約１．６ｍｍのスチール製カバー板１７，１７で被せてある。
【００４８】
図において、１９は脚部滑止め部材を示し、床面の傷付き防止も兼ねて合成ゴム製であり、各脚部２の下端に嵌合させてある。２０はシャッター引き紐で、各シャッタ１０，１０のシャッター横杆１４，１４に取り付けてある（図１参照）。
【実施例２】
【００４９】
図８で示したものは、補強兼用の掴持部材１１，１１を各側で２本設けた例である。ここではその上端部を、天板１の両側寄りで短手方向に横設した補強用上部横杆６の下面にボルトで固着し、またその側端部を上記二重構造の防御用側板７，７間に内装した縦向きの補強用杆１８，１８にボルトで固着してある。上記補強用上部横杆６は、ここでは厚み約２．３ｍｍ、縦断面横幅約７．５ｃｍ、高さ約４．５ｃｍの中空状のスチール製材を用いている。
【実施例３】
【００５０】
上記実施例１は一般家庭用のもので、２人が避難・退避可能な構成にしたものを示したが、例えば幼稚園・学校・事業所等の多数人が集まる場所で使用する場合は、例えば図９で示すように複数台を並べて用いればよい。
【図面の簡単な説明】
【００５１】
【図１】本考案に係る耐震シェルター兼用テーブル類の実施例で、前部のシャッターを途中まで降ろした状態を示す一部切欠き部斜視図である。
【図２】図１で示したテーブル類について、前部のシャッターを下まで降ろした状態の斜視図である。
【図３】図１で示したテーブル類について、内下方に２人が避難・退避している状態の一部切欠き部正面図である。
【図４】図１で示したテーブル類についての底面図である。
【図５】図１で示したテーブル類について、ガイドレールの部分の横断平面図である。
【図６】図１で示したテーブル類について、シャッターをほぼ巻き上げた状態を示す縦断左側面図である。
【図７】図１で示したテーブル類について、補強用三角板や補強兼用の掴持部材の固着状態を示す縦断正面図である。
【図８】他の実施例を示し、補強兼用の掴持部材を両側部で２本設けたものを示す底面図である。
【図９】他の実施例を示し、多数人が集まる場所で用いる場合の使用例を示す概略正面図である。
【符号の説明】
【００５２】
Ａ−テーブル類
１−天板
２，２ａ，２ｂ−脚部
３−補強用金属板
４−補強用枠体
５−補強用上部横杆
６−補強用上部横杆
７−補強用下部横杆
８−防御用側板
９−ガイドレール
１０−シャッター
１１−掴持部材
１２−Ｌ形金具
１３−ケース部
１４−シャッター横杆
１５−抜止め部材
１６−補強用三角板
１７−カバー板
１８−補強用杆
１９−脚部滑止め部材
２０−シャッター引き紐
【図１】
0003122584.tif 000003
【図２】
0003122584.tif 000004
【図３】
0003122584.tif 000005
【図４】
0003122584.tif 000006
【図５】
0003122584.tif 000007
【図６】
0003122584.tif 000008
【図７】
0003122584.tif 000009
【図８】
0003122584.tif 000010
【図９】
0003122584.tif 000011